(57)【特許請求の範囲】
【請求項１】
線路の保守作業機械であって、線路上台車に支持された機械フレームと、該機械の長手方向に対して横断状に且つ、水平方向に伸長する払掃ブラシシャフトの周りで回転し得るように払掃ブラシハウジング内に取り付けられた払掃ブラシとを備え、該払掃ブラシが、駆動体により垂直方向に調節可能である、線路の保守作業機械にして、
前記払掃ブラシを一時的に格納する支持装置であって、前記機械フレームに接続された前記支持装置を備え、該支持装置が、前記ブラシシャフトを支持し得るように、前記機械の横断方向に互いに距離を置いて配置された２つの支承ブラケットを備え、該支持装置が、前記機械の長手方向に対して垂直に且つ水平方向に伸長して、横断状変位駆動体に接続された横断状ガイド内で横断状に変位し得るように取り付けられることを特徴とする線路の保守作業機械。
【請求項２】
請求項１に記載の機械にして、前記機械フレームに締結された前記横断状ガイドが、縦軸線を有するヒンジにより、共に接続された２つのガイドレールにより形成され、このため、第一のガイドレールのみが該機械フレームに接続され、第二のガイドレールが機械の長手方向に対して垂直に伸長する作動位置から機械の長手方向に伸長する不作動位置まで回動可能であることを特徴とする機械。
【請求項３】
請求項２に記載の機械にして、前記回動可能な第二のガイドレールが、作動位置及び不作動位置の双方にて係止装置により係止可能であることを特徴とする機械。
【請求項４】
請求項１乃至３の何れかに記載の機械にして、前記支承ブラケットの双方が前記横断状ガイド内に変位可能に取り付けられた横断状キャリッジを介して互いに接続され、前記支承ブラケットの各々が、機械の長手方向に対して垂直に且つ水平方向に伸長する軸線の周りで回動し得るように前記横断状キャリッジの上に取り付けられ且つ回動駆動体に接続されることを特徴とする機械。
【発明の詳細な説明】
【０００１】
【発明の属する技術分野】
本発明は、線路の保守作業機械であって、線路上台車に支持された機械フレームと、ブラシシャフト（該機械の長手方向に且つ水平方向に伸長するシャフト）の周りで回転し得るように払掃ブラシハウジング内に取り付けられた払掃ブラシ（ｓｗｅｅｐｉｎｇ  ｂｒｕｓｈ）とを備え、該払掃ブラシが駆動体により垂直方向に調節可能である、線路の保守作業機械に関する。
【０００２】
【従来の技術】
線路のバラストを突き固めるバラストプラウの形態をしたこの型式の機械は、既に米国特許第５，４０２，５４７号から公知である。互いに距離をおいて配置された全部で３つの払掃ブラシハウジング（その各々が回転可能な払掃ブラシを有している）は、バラストプラウ（駆動体により垂直方向に調節可能であり且つ機械フレームの下方の位置に配置されている）の後に配置されている。機械フレームの前端には、払掃ブラシハウジング内で作用可能に使用した結果として摩耗した払掃ブラシと交換される更に別の払掃ブラシが配置されている。多数の弾性管から成る払掃ブラシは、これに対応して、重量が重いため、この作業の費用は比較的、多額となる。制限されないで使用される２つの隣り合った線路の間に車両が走行する線路がある場合、その払掃ブラシの交換に伴って重大な安全上の問題点が生ずる。
【０００３】
米国特許第５，１７２，６３７号及び米国特許第５，１７２，６３５号からも突き固め機械、又は線路安定化装置に関して、払掃ブラシを使用することが公知である。
【０００４】
【発明が解決しようとする課題】
本発明の目的は、払掃ブラシの交換を簡略化することができる、冒頭部分に記載した型式の機械を形成することである。
【０００５】
【課題を解決するための手段】
この目的は、払掃ブラシを一時的に格納する支持装置であって、機械フレームに接続された支持装置を特徴としており、支持装置は２つの支承ブラケット（払掃シャフトを支持し得るように、機械の横断方向に互いに距離を置いて配置されている）を備えている。また、支持装置は、横断状ガイド（機械の長手方向に垂直に対して且つ水平方向に伸長して、横断状変位駆動体に接続されている）内で横断状に変位し得るように取り付けられている。
【０００６】
この設計は、必要なときに、作業員の肉体的な作業を何等、必要とせずに、線路上に払掃ブラシを配置するだけで、迅速且つ簡単な交換を行うことができるように、払掃ブラシハウジングの直ぐ近くの位置に、新品の払掃ブラシを一時的に配置することができるという利点を実現可能にするものである。支持装置が上記の横断状に変位可能である設計のため、機械フレームに予め適宜に在庫した新品の払掃ブラシの支持装置への移動が、例えば、持上げ装置により極めて簡単な方法で行うことができる。勿論、このことは、逆に、最早、使用し得なくなった使用済みの払掃ブラシを戻す場合にも当て嵌まる。
【０００７】
本発明の有利な更なる利点によれば、機械フレームに締結された横断状ガイドは、縦軸線を有するヒンジにより共に、接続された２つのガイドレールにより形成される。このため、第一のガイドレールのみを機械フレームに接続し、第二のガイドレールは、機械の長手方向に対して垂直に伸長する作動位置から機械の長手方向に伸長する不作動位置まで回動可能である。このことは、持上げ装置により、支障なく、機械の横断方向に機械フレームから可能な限り遠くに、払掃ブラシを離して配置することを可能にする。他方、第二のガイドレールが回動可能な設計であることは、機械の作動中に、予め設定した隙間寸法が変更しないことを確実にする。
【０００８】
本発明の更なる有利な点は、更なる従属請求項の記載から明らかであろう。
【０００９】
【発明の実施の形態】
以下、本発明を添付図面に基づいて詳細に説明する。
【００１０】
図１から明確である線路の保守作業機械１は、線路上台車２に支持された機械フレーム３と、線路６にバラストを突き固め得るように駆動体４により垂直方向に調節可能であるバラストプラウ５とを備えている。エンジン７は、モータ駆動体８、及びその他の全ての駆動体に電力を供給する働きをする。中央制御装置１０が運転者室９内に配置されている。矢印１１は、機械１の好適な作業方向を示す。
【００１１】
駆動体１２により垂直方向に調節可能である払掃ブラシハウジング１３（その内部に払掃ブラシ１４が配置されている）がバラストプラウ５と後方の線路上台車２との間に配置されている。その払掃ブラシは、駆動体１５により回転可能であるブラシシャフト１６（機械の長手方向に対して垂直に且つ水平方向に伸長するシャフト）を有している。ブラシシャフト１６は、半径方向に突出する可撓性の払掃要素１７を多数、備えている。余剰なバラストを搬出するために、横断状コンベヤベルト１８が払掃ブラシハウジング１３の直前に配置されている。
【００１２】
払掃ブラシ１４を一時的に格納する支持装置１９が後方の線路上台車２の直前に配置されている。上記の支持装置１９は、機械の横断方向に対して互いに離間させた２つの支承ブラケット２０（水平方向に且つ機械の長手方向に伸長している）と、接続された横断状キャリッジ２１と、横断状ガイド２２（図３参照）とから成る。機械フレーム３に締結されて、機械の長手方向に対して垂直に且つ水平方向に伸長する上記の横断状ガイド２２は、縦軸線２４を有するヒンジ２３により共に接続された２つのガイドレール２５、２６により形成される。勿論、第一のカイドレール２５が機械フレーム３に接続される一方、第二のガイドレール２６は、機械の長手方向に対して垂直に伸長する作動位置から機械の長手方向に対して角度を成して伸長する不作動位置（図４に一点鎖線で図示）まで回動可能である。
【００１３】
この回動可能な第二のガイドレール２６は、作動位置と不作動位置との双方にて係止装置２７により係止可能である。支承ブラケット２０を支持する横断状キャリッジ２１は、機械フレーム３に関節式に接続された横断状変位駆動体２８の支援を受けて横断状に変位可能である。
【００１４】
支承ブラケット２０は、横断状ガイド２２と払掃ブラシハウジング１３との間に配置され、横断状ガイド２２から離間されたその自由端には、ブラシシャフト１６を取り付けるための固定装置２９が設けられている。この場合、上記の固定装置２９は、ブラシシャフト１６を受け入れる凹部として極めて簡単な方法で形成されている。これとは別に、任意の急速解放型の固定装置を使用することもできる。特に、図３から明らかであるように、支承ブラケット２０の各々は、機械の長手方向に対して垂直に且つ水平方向に伸長する軸線３０の周りで回動し得るように横断状キャリッジ２１に取り付けられ、また、回動駆動体３１に接続されている。
【００１５】
駆動体３２により垂直方向に調節可能であり且つ縦軸線の周りで回転可能であり、駆動体の上方で機械フレーム３に取り付けられたクレーン３３（図１）は、機械フレーム３の下方に配置された支持装置１９と関係付けられている。機械フレーム３に締結した支承支持体３４が上記クレーン３３の移動範囲内に設けられている。支持体に支持されているのは、機械の長手方向に一方が他方の後になるように配置された払掃ブラシ１４である。
【００１６】
支承支持体３４の上にて変位可能に格納された払掃ブラシ１４を払掃ブラシハウジング１３内に動かすため、ガイドレール２６は、機械の長手方向に横断状に伸長する作動位置まで回動し（図４参照）、係止手段２７によりこの位置に係止される。横断状変位装置２８を作動させることにより、その後に、横断状キャリッジ２１は、支承ブラケット２０と共に、横断状に変位され、図３に明らかな移動位置に達する。この位置にて、横断状キャリッジ２１は、第二のガイドレール２６の端部に移動される。この位置にて、払掃ブラシ１４は、問題を生ずることなく、クレーン３３により支持装置１９の２つの支承ブラケット２０の上に配置することができる。その後に、横断状変位駆動体２８を作動させると、支持装置１９は、払掃ブラシ１４と共に、再度、機械の中心に関して対照の位置に復帰する。２つの回動駆動体３１を作動させることにより、支承ブラケット２０は、下降して（図２に一点鎖線で図示）、これにより、払掃ブラシ１４は、線路６の上に配置される。機械１を僅かに押すことにより、線路６の上に位置する払掃ブラシ１４は、上昇した払掃ブラシのハウジング１３の下方に位置にあり、その後、払掃ブラシ１４は、作用可能に使用し得るようにその支持点内に適宜に固定される。
【００１７】
摩耗した払掃ブラシ１４の交換は、略逆の同一の方法で行われる。隣り合った線路を車両が走行する場合でも、問題なく、払掃ブラシ１４の交換を行い得るようにするため、機械の長手方向の両側部領域内に回動可能なガイドレール２６を設けることが有効である。これにより、機械の一方、又は他方の長手方向側部を介して、所望に応じて、払掃ブラシ１４を交換することが可能となる。これと代替的に、支承ブラケット２０は、例えば、一方がもう一方の後になるように機械の長手方向に配置された２つの払掃ブラシ１４を支持し得るように適宜に細長く形成してもよい。
【図面の簡単な説明】
【図１】線路にバラストを突き固めるバラストプラウ（払掃ブラシを格納する支持装置を有する）を備える機械の側面図である。
【図２】支持装置の拡大側面図である。
【図３】明確化のために図示しない払掃ブラシを交換し得るように極端な横断状位置に変位した状態で図示する、機械の長手方向に見た支持装置の図である。
【図４】機械の横断方向に関して機械のフレームを越えて突出する、支持装置の横断状ガイドの詳細な平面図である。
【符号の説明】
１  線路保守機械              ２  線路上台車
３  機械フレーム              ４  駆動体
５  バラストプラウ            ６  線路
７  エンジン                  ８  エンジン駆動体
９  運転者室                  １０  中央制御装置
１２  駆動体                  １３  払掃ブラシハウジング
１４  払掃ブラシ              １５  駆動体
１６  ブラシシャフト          １７  払掃要素
１８  ベルトコンベヤ          １９  支持装置
２０  支承ブラケット          ２１  横断状キャリッジ
２２  横断状ガイド            ２３  ヒンジ
２５、２６  ガイドレール      ２７  係止手段
２８  横断状変位駆動体        ２９  固定装置
３１  回動駆動体              ３２  クレーン
【図１】
0003827796.tif 000002
【図２】
0003827796.tif 000003
【図３】
0003827796.tif 000004
【図４】
0003827796.tif 000005